(57)【要約】【課題】レリーズ釦操作がなされると、操作がなされた被操作撮像装置がマスターカメラになると、レリーズ動作を行わなくてもマスターカメラになってしまうという問題があった。【解決手段】複数の撮像装置とお互いに無線通信可能な撮像装置において、撮影準備動作によって、マスター/スレーブの設定待ち状態に移行するとともに、他の撮像装置にマスター/スレーブの設定を行わせないようにする通知を行う手段と、マスター/スレーブの設定待ち状態においてSW1が押されたことに応じて、自機をマスターに設定するとともに、自機がマスターであることを他の撮像装置に通知する手段を有する。【選択図】図２
2016208427.tif 000002
【特許請求の範囲】
【請求項１】
複数の撮像装置とお互いに無線通信可能な撮像装置において、
撮影準備動作によって、マスター/スレーブの設定待ち状態に移行するとともに、他の撮像装置にマスター/スレーブの設定を行わせないようにする通知を行う手段（Ｓ２０５）と、
マスター/スレーブの設定待ち状態においてSW1が押されたことに応じて、自機をマスターに設定する（Ｓ２０７）とともに、自機がマスターであることを他の撮像装置に通知する手段（Ｓ２０８）を有することを特徴とする撮像装置。
【請求項２】
マスター通知を受信した他の撮像装置がスレーブになる手段（Ｓ３０６）を有し、スレーブになったことをマスターに通知する手段（Ｓ３０７）を有することを特徴とする請求項１に記載の撮像装置。
【請求項３】
マスター/スレーブ関係の構築後、マスターカメラのＳＷ２が押されたならば撮像し（Ｓ２１０）、またＳＷ２が押されたことをスレーブカメラに通知し（Ｓ２１１）、その通知を受信したスレーブカメラはＳＷ２が押されたことになり（Ｓ３０８）、連動撮影を行う（Ｓ３０９）ことを特徴とする請求項１又は請求項２に記載の撮像装置。
【請求項４】
撮影準備動作とは、接眼検知機能オン（１０６０３）またはライブビュー機能オン（１００７０）であることを特徴とする請求項１に記載の撮像装置。
【請求項５】
マスター/スレーブの関係を構築したら撮影者に通知する（マスターカメラ３）ことを特徴とする請求項２に記載の撮像装置。
【請求項６】
通知方法をファインダー内に表示する（マスターカメラ３）ことを特徴とする請求項５に記載の撮像装置。
【請求項７】
マスター/スレーブの設定待ち状態で、撮影準備動作を中止したら、マスター/スレーブの設定待ち状態を解除する（Ｓ２０４）ことを特徴とする請求項１乃至請求項３の何れか一項に記載の撮像装置。
【請求項８】
自撮像装置がマスターであることを他の撮像装置に通知した後、まだマスター/スレーブ関係が成立する前に、ＳＷ２（１００６４）が押されたら（Ｓ２１３）、各撮像装置はローカルレリーズし（Ｓ２１４）、その後マスター/スレーブの関係を構築し、マスター/スレーブとして起動する。撮影後今のはローカルレリーズでしたとユーザに通知する（Ｓ２１６）ことを特徴とする請求項１又は請求項２に記載の撮像装置。
【発明の詳細な説明】
【技術分野】
【０００１】
本発明は、通信機能を持つ撮像装置に関し、通信機能を持つ撮像装置がお互いにネットワーク接続し、連動動作をするシステムに関する。
【背景技術】
【０００２】
近年、通信機能を持つデジタルカメラが発売されており、その種類も増える傾向にある。
【０００３】
そうしたなか、通信機能を持ったデジタルカメラどうしをネットワークを介して接続することで、カメラどうしが連動動作するようなシステムも考えられつつある（特許文献1参照）。
【先行技術文献】
【特許文献】
【０００４】
【特許文献１】特開2006-108730号公報
【発明の概要】
【発明が解決しようとする課題】
【０００５】
特許文献１はレリーズ釦操作がなされると操作がなされた被操作装置がマスターカメラになるという内容が記載されている。しかし複数の撮像装置で、ほぼ同時にレリーズ釦がおされると、マスターカメラの設定での競合が発生してしまう為、ユーザーが所望のタイミングで撮像装置をマスターカメラに設定できないという問題があった。
【課題を解決するための手段】
【０００６】
上記のような問題を解決する為に、本発明の撮像装置は、撮影準備動作、例えばライブビューをオンした場合もしくはフェイス検知をした場合には、撮像装置間でのマスター/スレーブの関係を設定している最中であるという状態にカメラシステムを移行する。
【０００７】
次に撮影準備動作状態にレリーズ釦を半押しした状態（ＳＷ１オン）をすることで自撮像装置をマスターカメラに設定すると共に、他の撮像装置に自撮像装置がマスターになった事を通知する。
【０００８】
前記通知を受信した他の撮像装置はスレーブカメラとしてカメラシステム内での撮像装置の位置付けを変更する。
【０００９】
ここで前記通知はマスターカメラになったことの通知を例にしたが、他の撮像装置をスレーブカメラとして設定要求する通知であってもよい。
【００１０】
上記撮影準備状態にレリーズ釦を半押しした状態は、例えばライブビューオン＋ＳＷ１またはフェイス検知＋ＳＷ１が押されたことを指している。
【発明の効果】
【００１１】
本発明の撮像装置によれば、ライブビューをオンした場合もしくはフェイス検知した場合などの撮影準備動作で、マスター/スレーブ設定待ち状態に移行し、撮影準備前動作の状態でＳＷ１が押されたらマスターになることにより、マスターカメラの設定で、ユーザーが所望のタイミングで設定が可能になり、設定したと思っているのに設定されていなかったといった、設定の競合からくる問題がなくなる。
【図面の簡単な説明】
【００１２】
【図１】本実施例１における一眼レフデジタルスチルカメラのブロック図
【図２】本実施例１における一眼レフデジタルスチルカメラのマスターカメラの動作フローチャート
【図３】本実施例１における一眼レフデジタルスチルカメラのスレーブカメラの動作フローチャート
【図４】本実施例１におけるフェイス検知機能オンの場合のマスターカメラ、スレーブカメラの関係図
【図５】本実施例１におけるライブビュー機能オンの場合のマスターカメラ、スレーブカメラの関係図
【図６】本実施例２におけるマスターカメラ、スレーブカメラのファインダー内表示
【図７】本実施例４における各撮像装置のローカルレリーズ表示
【図８】本実施例でマスターカメラ、スレーブカメラが通信するパケットフォーマット
【図９】マスターカメラ、スレーブカメラのテーブル
【発明を実施するための形態】
【００１３】
以下、本発明を実施するための形態を図面に基づいて説明する。
【００１４】
＜第１の実施形態＞
まず、図１を用い、本実施例に係る一眼レフタイプのデジタルスチルカメラについて説明する。
【００１５】
図1において、１００１２は撮像素子１００１４への露光量を制御するためのメカシャッター、１００１４は光学像を電気信号に変換する撮像素子である。レンズ１０３１０に入射した光線は、一眼レフ方式によって、絞り１０３１２、レンズマウント１０３０６及び１０１０６、ミラー１０１３０、メカシャッター１００１２を介して導き、光学像として撮像素子１００１４上に結像することが出来る。ライブビュー時には、このメカシャッター１００１２を開いたまま、撮像素子１００１４に結像する。
【００１６】
１００１６は撮像素子１００１４のアナログ信号出力をディジタル信号に変換するＡ／Ｄ変換器である。１００１８は撮像素子１００１４へ電子シャッター制御信号やクロック信号、 Ａ／Ｄ変換器１００１６に制御信号やクロック信号を供給するタイミング発生部であり、メモリ制御部１００２２及びデジタル部システム制御部１００５１により制御される。
【００１７】
１００５１はデジタルスチルカメラのデジタル部を制御するデジタル部システム制御部であり、カメラ部システム制御部１００５０と相互に通信可能である。このデジタル部システム制御部１００５１は、画像表示部１００２８のデータ表示を制御する。またカメラシステム制御部１００５０は操作部１００７０によりライブビューモードに設定された場合には、ミラー１０１３０をあげ、メカシャッター１００１２を開き、レンズ１０３１０からの画像を直接撮像素子１００１４にあたるようにし、その撮像素子１００１４に直接にあたり撮像素子に蓄積されたアナログ信号をＡＤ変換器１００１６でＡＤ変換し、Ａ／Ｄ変換器１００１６のデータが画像処理部１００２０、メモリ制御部１００２２を介してＲＡＭ１００３０に書き込まれる。
【００１８】
そのデータをさらに画像処理部１００２０により画像処理を行い、その画像処理をおこなった画像を画像表示部１００２８に常に表示させる。これがライブビューの詳細動作である。ライブビュー機能がオンになった場合、撮影準備動作を行い（マスター/スレーブ設定中にし）、次にシャッターＳＷ１（１００６２）が押されるとマスターカメラになることをスレーブカメラに通知する。
【００１９】
１０６０３は入力部であり、今回フェイス検知センサーを内蔵し、光学ファインダーを覗いた際、フェイス検知がオンになるように設計されている。またフェイス検知機能がオンになった場合にも撮影準備動作が完了（マスター/スレーブ設定中に）し、次にシャッターＳＷ１（１００６２）が押されるとマスターカメラになることをスレーブカメラに通知する。
【００２０】
１００２０は画像処理部であり、 Ａ／Ｄ変換器１００１６からのデータ或いはメモリ制御部１００２２からのデータに対して所定の画素補間処理や色変換処理を行い、また画像処理中かどうかをデジタル部システム制御部１００５１に通知する。また、画像処理部１００２０においては、必要に応じて、撮像した画像データを用いて所定の演算処理を行い、得られた演算結果に基づいてシステム制御部１００５０が露光制御手段１００４０、測距制御手段１００４２に対して制御を行う、撮像面オートフォーカス処理、ＡＥ（自動露出）処理、ＥＦ（フラッシュ調光）処理を行うことが出来る。
【００２１】
またこの画像処理部１００２０はライブビューモードに設定された場合には、撮像素子１００１４に撮像された画像データをリアルタイムに画像表示部１００２８に表示させる。さらに、画像処理部１００２０においては、撮像した画像データを用いて所定の演算処理を行い、得られた演算結果に基づいてＴＴＬ方式のＡＷＢ（オートホワイトバランス）処理も行っている。またＴＶＡＦもここで行う。また動画記録において電子ズームを行うようにデジタルシステム制御部１００５１が判断した場合にはここで画像を範囲をクロップし電子ズーム処理を行い動画像を記録を行う。
【００２２】
１００２８はＴＦＴ  ＬＣＤ等から成る画像表示部（Ｖｉｄｅｏコントローラを含む）であり、ライブビュー画像、メニュー、撮影画像データ等を表示する。１００５４はカメラ部システム制御部１００５０でのプログラムの実行に応じて、文字、画像、音声等を用いて動作状態やメッセージ等を表示する液晶表示装置、スピーカー等の表示部であり、デジタルカメラ１０1の操作部近辺の視認し易い位置に単数或いは複数個所設置され、例えばＬＣＤやＬＥＤ、発音素子等の組み合わせにより構成されている。
【００２３】
また、表示部１００５４の表示内容のうち、光学ファインダー１０１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。またマスターカメラ/スレーブカメラの表示もここで行われ、マスターカメラになった場合にはMasterのマークを表示し、スレーブカメラになった場合にはSlaveの表示を行う。ローカルレリーズした場合にはLocalの表示を行う。
【００２４】
１００６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュ調光）処理等の動作開始を指示する。またライブビューオン中のＳＷ１またはフェイス検知センサーオンとＳＷ１により、自撮像装置がマスターカメラであることを他の撮像装置に通知する。
【００２５】
１００６４はシャッタースイッチＳＷ２で、不図示のシャッターボタンの操作完了でＯＮとなり、撮像素子１００１２から読み出した信号をＡ／Ｄ変換器１００１６、メモリ制御部１００２２を介してＲＡＭ１００３０に画像データを書き込む露光処理、画像処理部１００２０やメモリ制御部１００２２での演算を用いた現像処理、ＲＡＭ１００３０から画像データを読み出し、圧縮・伸長部１００３２で圧縮を行い、記録媒体１０２００或いは１０２１０に画像データを書き込む記録処理という一連の処理の動作開始を指示する。
【００２６】
また動画記録の開始もここで指示する。またライブビュー中のＳＷ１、フェイス検知センサーのＳＷ１で自撮像装置と他撮像装置とのマスター/スレーブ関係が構築できた場合には、このＳＷ２が押されるとマスターカメラからスレーブカメラに対してレリーズするように通知を通信する。この際マスターカメラは画像を撮像し、この命令を受けたスレーブカメラもレリーズ通知を受け撮像する。これによりマスターカメラ/スレーブカメラの連動撮影ができたことになる。
【００２７】
１００７０は各種ボタンやタッチパネル等からなる操作部で、メニューボタン、ライブビューを開始するセットボタン等で構成される。またマスター/スレーブカメラの設定をおこなうかどうかもここで設定を行う。
【００２８】
１０１０４は光学ファインダであり、レンズ１０３１０に入射した光線を、一眼レフ方式によって、絞り１０３１２、レンズマウント１０３０６及び１０１０６、ミラー１０１３０及び１０１３２を介して導き、光学像として結像表示することが出来る。これにより、画像表示部１００２８による電子ファインダー機能を使用すること無しに、光学ファインダ１０１０４のみを用いて撮影を行うことが可能である。
【００２９】
また、光学ファインダー１０１０４内には、表示部１００５４の一部の機能、例えば、合焦表示、手振れ警告表示、フラッシュ充電表示、シャッタースピード表示、絞り値表示、露出補正表示などが設置されている。またここで自撮像装置がマスターカメラ/スレーブカメラになっているかどうが表示を行う。またローカルレリーズの場合の表示も行う。
【００３０】
１０１１０はデジタルスチルカメラとパソコン、デジタルカメラとアクセスポイント、デジタルカメラ同士でと無線接続するための無線通信部である。実際には通信部はＩＥＥＥ８０２．１１a/b/gからなる。ここでマスターカメラ/スレーブカメラの通信とレリーズ信号の無線通信を行う。
【００３１】
１０１１２は通信手段１０１１０によりデジタルスチルカメラを他の機器と接続するアンテナである。１０１３０、１０１３２はミラーで、レンズ１０３１０に入射した光線を、一眼レフ方式によって光学ファインダ１０１０４に導くことが出来る。またライブビュー時は１０１３０は上部に持ち上げ、直接撮像装置に光信号が撮像素子１００１４に行くようになる。１０６０３は入力部であり、この実施例の場合、フェイス検知センサーも含む。
【００３２】
次に図２を用いて本実施例におけるマスターカメラの動作に関して説明し、図３を用いて本実施例におけるスレーブカメラの動作に関して説明する。
【００３３】
まずマスターカメラとスレーブカメラの間でやりとりされる、図8の８０２．１１ＭＡＣフレームフォーマットについて説明する。
【００３４】
８０１は２バイトのフレーム制御部でプロトコルバージョン、タイプとサブタイプが指定される。８０２は２バイトのディスティネーション/ＩＤフィールドでＮＡＶの設定のために使われる。８０３は６バイトのアドレス１の宛先アドレスフィールドで宛先ＭＡＣアドレスを設定する。８０４は６バイトのアドレス２の送信元アドレスフィールドで送信元ＭＡＣアドレスを設定する。
【００３５】
８０５は６バイトのアドレス３でフィルタリングフィールドで、８０６は2バイトのシーケンス制御でフラグメントの再結合および重複フレーム廃棄に使われる。８０７は６バイトのアドレス4でオプションとして使用される。８０８は０〜２３１２バイトのフレーム本体で実際のデータを格納する。８０９は４バイトのＦＣＳでフレームチェックシーケンスである。
【００３６】
まずマスターカメラの動作を説明する。電源ＳＷをＯＮする（Ｓ２０１）。次に無線ネットワークを構築する方法について説明する。まず操作部１００７０によりマスター/スレーブの関係を構築するモードに入る（Ｓ２０２）。
【００３７】
次に無線の周波数チャネルを特定の周波数チャネルに設定し、図８の無線ＬＡＮのフレームフォーマットを使用し、電源をＯＮした撮像装置は、宛先アドレス８０３にマルチキャストアドレスを設定し、また送信元アドレス８０４に自撮像装置のＭＡＣアドレスを指定し、フレーム本体８０８に無線ネットワーク構築モードであることを示すデータを設定し送信する。そのデータを受信した各撮像措置はその送信元ＭＡＣアドレスをテーブルに登録し(図９)、自撮像装置のＭＡＣアドレスをスレーブカメラ(図９)に登録し、無線ネットワークを構築する（Ｓ２０３）。なお無線ネットワークの構築方法は他の方法でもよい。
【００３８】
次に操作部１００７０によりライブビューをオンした場合もしくは入力部１０６０３のフェイス検知装置のマスター/スレーブを設定中（Ｓ２０５）にし、マスター/スレーブ設定待ち状態に移行するとともに、他の撮像装置にマスター/スレーブの設定を行わないように図８のフレームフォーマットの宛先アドレス８０３にマルチキャストアドレスを設定し、送信元アドレス８０４に自撮像装置のＭＡＣアドレスを設定し、フレーム本体８０８には、マスター/スレーブ設定待ち状態であるデータを設定し、他撮像装置に通知する。これによりマスターカメラの競合を防ぐことが可能になる。またこれにより撮影準備動作が行うことができ、撮影準備が完了したことになる。
【００３９】
次にライブビュー機能オン+シャッターＳＷ1（１００６２）オン（図５）になった場合、もしくはフェイス検知したら+シャッターＳＷ１（１００６２）オン（図４）になった場合（Ｓ２０６）には、自撮像装置がマスターになる（Ｓ２０７）ことを図８のフレームフォーマットの宛先アドレス８０３にマルチキャストアドレスを設定し、送信元アドレス８０４に自撮像装置のＭＡＣアドレスを設定し、フレーム本体（データ）８０８には、マスターになったことを通知するデータを設定し、他撮像装置に通知する（Ｓ２０８）。
【００４０】
またマスターになった後、シャッターＳＷ１(１００６２)がオフされた場合には、フェイス検知していたもしくはライブビュー中だったならば、マスターをロックし、他撮像装置がマスターに入れないようにする。フェイス検知オフもしくはライブビューオフされたならば、マスターを解除する。
【００４１】
その後他撮像装置からスレーブになったことを、図８の宛先アドレス８０３にはマスターのＭＡＣアドレスを設定し、送信元アドレス８０４には自撮像装置のＭＡＣアドレスを設定し、フレーム本体８０８にはスレーブになったデータを設定された、フレーム通知を受信し（Ｓ２０９）、マスターのシャッターＳＷ２（１００６４）が押されたならば（Ｓ２１０）、スレーブカメラに連動撮影を行うように図８の宛先アドレス８０３にはマルチキャストアドレスを、送信元アドレス８０４にはマスターのＭＡＣアドレスをフレーム本体８０８には連動撮影コマンドのデータを設定し、送受信を行い連動撮影を行う（Ｓ２１１）。
【００４２】
その後電源ＯＦＦするかどうか確認し（Ｓ２１２）、オフしないならば、またフェイス検知したらまたはライブビュー機能オンかどうか（Ｓ２０４）判断し、前記述べた同じ動作を実行する。
【００４３】
次にスレーブカメラの動作を説明する。電源ＳＷをＯＮする（Ｓ３０１）。次に連動撮影を行う場合には、操作部１００７０によりマスター/スレーブの関係を構築する設定を行う（Ｓ３０２）。次に無線の周波数チャネルを特定の周波数チャネル、マスター/スレーブ同じにし無線ネットワークを構築する（Ｓ３０３）。無線ネットワークの構築方法はマスターカメラで記載したので省略する。なお無線ネットワークの構築方法は他の方法でもよい。
【００４４】
次に図８のフレームフォーマットの宛先アドレス８０３がマルチキャストアドレスを受信したならば、フレーム本体８０８を解析しマスター/スレーブ設定待ち状態であるデータであったならば(Ｓ３０４)、マスター/スレーブ設定待ち状態に設定し、次に図８のフレームフォーマットの宛先アドレス８０３がマルチキャストアドレスでフレーム本体８０８がマスター通知を受信したならば(Ｓ３０５)、自撮像装置をスレーブに設定し（Ｓ３０６）、受信したフレームの送信元ＭＡＣアドレス、つまりマスターのＭＡＣアドレスをテーブルに登録する(図９)。またその際自撮像装置のＭＡＣアドレスもスレーブカメラに設定する(図９)。
【００４５】
次に自撮像装置がスレーブになったことを図８の宛先ＭＡＣアドレスにマスターのＭＡＣアドレスを設定し、送信元ＭＡＣアドレスに自撮像装置のＭＡＣアドレスを設定し、フレーム本体８０８にスレーブになったことを通知する設定を行い、マスター撮像装置に通知する（Ｓ３０７）。次にマスターのシャッターＳＷ２（１００６４）が押された通知を受信し、図８の宛先ＭＡＣアドレスがマルチキャストアドレス、フレーム本体８０８がマスターレリーズコマンドだったならば（Ｓ３０８）、連動撮影を行う（Ｓ３０９）。次に電源ＯＦＦするかどうか判断し（Ｓ３１０）、ＯＦＦしないならば、再度マスタースレーブ設定中を受信したかどうか判断し（Ｓ３０４）、前記述べた動作を実行する。
【００４６】
このようにしてマスターカメラ、スレーブカメラが動作し、確実に撮影する人がマスターになってスレーブとの連動撮影を行うことが可能になる。
【００４７】
＜第２の実施形態＞
図６を用いて、本実施例２に係る一眼レフタイプのデジタルスチルカメラのファインダー内表示に関して説明する。
【００４８】
ライブビューオンかつＳＷ１押し、またはフェイス検知したらかつＳＷ１押しマスター/スレーブの関係が構築される（第１の実施形態参照）と、ファインダー内にマスターカメラ、スレーブカメラの表示が行われる。これにより、自撮像装置がマスターカメラであるかスレーブカメラであるか判断することが可能となる。ここでＳＷ２が押されると、マスターカメラ３は通常レリーズ、スレーブカメラ３１、３２、３３はマスターカメラ３からのレリーズタイミングを受信して、連動撮影が可能となる（第１の実施形参照）。
【００４９】
このようにしてマスターカメラ３、スレーブカメラ３１、３２、３３が動作し、ユーザーがどのカメラがマスター、スレーブか分かるシステムを構築することが可能になる。
【００５０】
＜第３の実施形態＞
次にマスター/スレーブ設定解除方法に関して図２を用いて説明する。操作部１００７０によりライブビューをオンした場合もしくは入力部１０６０３のフェイス検知センサーによりファインダーを人が覗き顔が近づいてオン（Ｓ２０４）になった場合には、各撮像装置のマスター/スレーブを設定中（Ｓ２０５）にし、マスター/スレーブ設定待ち状態に移行するとともに、他の撮像装置にマスター/スレーブの設定を行わないようにする。その後、ライブビューオフまたはフェイス検知しなくなったならば(Ｓ２０４)、マスター/スレーブ設定待ち状態を解除する。このようにしてマスター/スレーブ設定待ち状態を解除する。
【００５１】
＜第４の実施形態＞
次にローカルレリーズを行う場合に関して図２を用いて説明する。マスター/スレーブ関係が成立する前にＳＷ２が押されたら、またはその後他撮像装置からスレーブになったことの通知を受信する前に(Ｓ２０９)マスターのシャッターＳＷ２（１００６４）が押されたならば（Ｓ２１３）、ローカルレリーズを行う(Ｓ２１４)。図８の宛先アドレス８０２にはマスターのＩＰアドレスを設定し、送信元アドレス８０３には自撮像装置のＩＰアドレスを設定し、データ８０４にはスレーブになったデータを設定された、フレーム通知を受信する前にだったならばローカルレリーズを行う。
【００５２】
またその後、スレーブからの通知を受信(Ｓ２１５)し、マスタースレーブの関係を構築したら、マスターとして起動し、撮影後今のはローカルレリーズでした(Ｓ２１６)とファインダー内に通知する（図７）。図８の宛先アドレス８０２にはマスターのＩＰアドレスを設定し、送信元アドレス８０３には自撮像装置のＩＰアドレスを設定し、データ８０４にはスレーブになったデータを設定された、フレーム通知を行いマスタースレーブの関係を構築する。
【００５３】
また、スレーブカメラは常にＳＷ２が押されたならばローカルレリーズを行う（図７）。
【００５４】
このようにして各撮像装置はローカルレリーズを行うことになり、これによりローカルレリーズを行うことが可能になる。
【符号の説明】
【００５５】
１０１３０  ミラー、１００１２  シャッター、１００１４  撮像素子、
１００１６  ＡＤ変換器、１００２０  画像処理部、１００２２  メモリ制御部、
１００２８  画像表示部、１００５０  カメラシステム制御部、
１００５１  デジタルシステム制御部、１００７０  操作部、１０６０３  入力部、
１０１１０  無線通信部、１０１１２  アンテナ
【図１】
2016208427.tif 000003
【図２】
2016208427.tif 000004
【図３】
2016208427.tif 000005
【図４】
2016208427.tif 000006
【図５】
2016208427.tif 000007
【図６】
2016208427.tif 000008
【図７】
2016208427.tif 000009
【図８】
2016208427.tif 000010
【図９】
2016208427.tif 000011